(57)【要約】  本発明は、透明電光板及びそれに用いられるチップLEDに関するもので、本発明に係る透明電光板においては、第１透明板と；前記第１透明板と対向して所定間隔離隔して配置される第２透明板と；それぞれマトリックス状に配列された複数の第１電極領域及び複数の第２電極領域を形成し、前記複数の第１電極領域中の少なくともいずれか一つは四つの前記第２電極領域と隣接して形成された透明電極と；隣接した一対の前記第１電極領域にそれぞれ接続される一対のアノード電極と前記アノード電極が接続された前記一対の第１電極領域に隣接した一対の前記第２電極領域にそれぞれ接続される一対のカソード電極を有して、前記複数の第１電極領域が第１方向に形成された複数の第１信号ラインを形成し、前記複数の第２電極領域が前記第１方向と交差する第２方向に形成された複数の第２信号ラインを形成するように前記透明電極に付着される複数のチップＬＥＤと；前記複数のチップＬＥＤが選択的に点滅するように前記複数の第１信号ラインと前記複数の第２信号ラインに選択的に制御信号を印加する制御部と；を含むことを特徴とする。その結果、低電力で駆動されて、寿命が長く、透明で、厚さが薄くて、動映像を具現することができる。【選択図】    図６
2007537609.tif 000002
【特許請求の範囲】
【請求項１】
第１透明板と；
前記第１透明板と対向して所定間隔離隔して配置される第２透明板と；
それぞれマトリックス状に配列された複数の第１電極領域及び複数の第２電極領域を形成し、前記複数の第１電極領域中の少なくともいずれか一つは四つの前記第２電極領域と隣接して形成された透明電極と；
隣接した一対の前記第１電極領域にそれぞれ接続される一対のアノード電極と前記アノード電極が接続された前記一対の第１電極領域に隣接した一対の前記第２電極領域にそれぞれ接続される一対のカソード電極を有して、前記複数の第１電極領域が第１方向に形成された複数の第１信号ラインを形成し、前記複数の第２電極領域が前記第１方向と交差する第２方向に形成された複数の第２信号ラインを形成するように前記透明電極に付着される複数のチップＬＥＤと；
前記複数のチップＬＥＤが選択的に点滅するように前記複数の第１信号ラインと前記複数の第２信号ラインに選択的に制御信号を印加する制御部と；
を含むことを特徴とする透明電光板。
【請求項２】
第１透明板と；
前記第１透明板と対向して所定間隔離隔して配置される第２透明板と；
それぞれマトリックス状に配列された複数の第１電極領域及び複数の第２電極領域を形成して、前記複数の第１電極領域中の少なくともいずれか一つは四つの前記第２電極領域と隣接して形成された透明電極と；
隣接した一対の前記第１電極領域にそれぞれ接続されて相互電気的に接続された一対の第１電極と、前記第１電極が接続された前記一対の第１電極領域に隣接した一対の前記第２電極領域にそれぞれ接続されて相互電気的に連結された一対の第２電極と、を有して、前記複数の第１電極領域が第１方向に形成された複数の第１信号ラインを形成し、前記複数の第２電極領域が前記第１方向と交差する第２方向に形成された複数の第２信号ラインを形成するように前記透明電極に付着される複数のライン形成チップと；
前記第１信号ラインと連結されるように前記第１電極領域中のいずれか一つに接続されるアノード電極と、前記第２信号ラインと連結されるように前記第２電極領域中のいずれか一つに接続されるカソード電極と、を有する複数のチップＬＥＤと；
前記複数のチップＬＥＤが選択的に点滅するように前記複数の第１信号ラインと前記複数の第２信号ラインに選択的に制御信号を印加する制御部と；
を含むことを特徴とする透明電光板。
【請求項３】
前記チップＬＥＤは、単色２電極チップＬＥＤを含ことを特徴とする請求項２に記載の透明電光板。
【請求項４】
前記第１信号ライン及び前記第２信号ラインの縁部をそれぞれ形成する前記第１電極領域及び前記第２電極領域には、前記制御信号が入力される信号パッドが塗布されることを特徴とする請求項１乃至３中いずれか１に記載の透明電光板。
【請求項５】
前記第１透明板の板面は四角形状を有して、前記第１電極領域と前記第２電極領域を電気的に分離する境界は、前記第１透明板の対角方向または縦横方向に形成されることを特徴とする請求項４に記載の透明電光板。
【請求項６】
前記制御部は、前記複数の第１信号ライン及び前記複数の第２信号ライン中のいずれか一方側を順次オンさせて、前記複数の第１信号ライン及び前記複数の第２信号ライン中の他方側を選択的にオンさせることで前記チップＬＥＤの点滅を制御することができることを特徴とする請求項５に記載の透明電光板。
【請求項７】
前記第１透明板と前記第２透明板の間に充填される充填剤をさらに含むことを特徴とする請求項６に記載の透明電光板。
【請求項８】
単色を発光するＬＥＤチップと；前記ＬＥＤチップのアノードおよびカソード中いずれか一つと電気的に連結されて、外部に露出された一対の第１電極と；前記ＬＥＤチップの前記アノードおよび前記カソード中の他の一つと電気的に連結されて、前記一対の第１電極と対角方向に相互交差するように外部に露出された一対の第２電極と；を含むことを特徴とするチップＬＥＤ。
【請求項９】
前記第１電極及び前記第２電極が実装されるＬＥＤ基板をさらに含んで、前記ＬＥＤチップは前記ＬＥＤ基板に実装された前記第１電極及び前記第２電極に接続され、前記第１電極及び前記第２電極は前記ＬＥＤ基板の前記ＬＥＤチップが接続された面から反対側面に折曲形成されて外部に露出されることを特徴とする請求項８に記載のチップＬＥＤ。
【請求項１０】
前記一対の第１電極は、前記ＬＥＤチップが接続される面に電気的に分離されて実装され、前記一対の第１電極を相互電気的に連結するジャンパ線を含むことを特徴とする請求項９に記載のチップＬＥＤ。
【請求項１１】
相互隣接する四つの電極領域を連結し、前記四つの電極領域中、相互対角方向に位置する一対の電極領域にそれぞれ接続されて前記一対の電極領域を相互電気的に連結する一対の第１電極と；前記四つの電極領域中、他の一対の電極領域にそれぞれ接続されて前記他の一対の電極領域を相互電気的に連結する一対の第２電極と；を含むことを特徴とするライン形成チップ。
【請求項１２】
前記一対の第１電極は、前記ＬＥＤチップの接続面に電気的に分離されて実装され、前記一対の第１電極を相互電気的に連結するジャンパ線を含むことを特徴とする請求項１１に記載のライン形成チップ。
【発明の詳細な説明】
【技術分野】
【０００１】
本発明は、透明電光板及びそれに用いられるチップＬＥＤに係わり、より詳しくは、動映像を具現し得る透明電光板及びそれに用いられるチップＬＥＤに関する。
【背景技術】
【０００２】
一般に、室外で使用される電光板は発光ダイオード（ＬＥＤ  ：  Ｌｉｇｈｔ  Ｅｍｉｔｔｉｎｇ  Ｄｉｏｄｅ、以下‘ＬＥＤ’という）を利用した電光板が広用される。ＬＥＤを使用する電光板は、ＬＥＤが低電力で駆動されて、寿命が長いという長所があるので室外の大型電光板や室内の小型電光板等多様な分野で使用される。
【０００３】
ところで、従来の電光板は、後面の電線処理およびと動映像を具現するためにその厚さが厚い短所がある。特に、ＬＥＤの駆動のための回路基板が多層になっているから電光板の全体厚さが厚くなる要因として作用する。
【０００４】
また、従来の電光板は、後面の電線や黒幕処理等のために背面をカバーで覆うのが一般的で、そのための構造物によって厚さが増加して、美観におけるよくないという短所がある。
【発明の開示】
【発明が解決しようとする課題】
【０００５】
本発明の目的は、低電力で駆動されて、寿命が長いＬＥＤを用いることで、動映像の具現ができて、透明でその厚さが薄い透明電光板及びそれに用いられるチップＬＥＤを提供することにある。
【課題を解決するための手段】
【０００６】
前記目的を達成するため、本発明に係る透明電光板においては、第１透明板と；前記第１透明板と対向して所定間隔離隔して配置される第２透明板と；それぞれマトリックス状に配列された複数の第１電極領域及び複数の第２電極領域を形成し、前記複数の第１電極領域中の少なくともいずれか一つは四つの前記第２電極領域と隣接して形成された透明電極と；隣接した一対の前記第１電極領域にそれぞれ接続される一対のアノード電極と前記アノード電極が接続された前記一対の第１電極領域に隣接した一対の前記第２電極領域にそれぞれ接続される一対のカソード電極を有して、前記複数の第１電極領域が第１方向に形成された複数の第１信号ラインを形成し、前記複数の第２電極領域が前記第１方向と交差する第２方向に形成された複数の第２信号ラインを形成するように前記透明電極に付着される複数のチップＬＥＤと；前記複数のチップＬＥＤが選択的に点滅するように前記複数の第１信号ラインと前記複数の第２信号ラインに選択的に制御信号を印加する制御部と；を含むことを特徴とする。
【０００７】
ここで、前記第１信号ライン及び前記第２信号ラインの縁部をそれぞれ形成する前記第１電極領域及び前記第２電極領域には、前記制御信号が入力される信号パッドが塗布される。
【０００８】
また、前記目的を達成するため、本発明に係る透明電光板の他の実施例においては、第１透明板と；前記第１透明板と対向して所定間隔離隔して配置される第２透明板と；それぞれマトリックス状に配列された複数の第１電極領域及び複数の第２電極領域を形成して、前記複数の第１電極領域中の少なくともいずれか一つは四つの前記第２電極領域と隣接して形成された透明電極と；隣接した一対の前記第１電極領域にそれぞれ接続されて相互電気的に接続された一対の第１電極と、前記第１電極が接続された前記一対の第１電極領域に隣接した一対の前記第２電極領域にそれぞれ接続されて相互電気的に連結された一対の第２電極と、を有して、前記複数の第１電極領域が第１方向に形成された複数の第１信号ラインを形成し、前記複数の第２電極領域が前記第１方向と交差する第２方向に形成された複数の第２信号ラインを形成するように前記透明電極に付着される複数のライン形成チップと；前記第１信号ラインと連結されるように前記第１電極領域中のいずれか一つに接続されるアノード電極と、前記第２信号ラインと連結されるように前記第２電極領域中のいずれか一つに接続されるカソード電極と、を有する複数のチップＬＥＤと；前記複数のチップＬＥＤが選択的に点滅するように前記複数の第１信号ラインと前記複数の第２信号ラインに選択的に制御信号を印加する制御部と；を含むことを特徴とする。
【０００９】
ここで、前記チップＬＥＤは、単色２電極チップＬＥＤを含む。
【００１０】
また、前記第１透明板の板面は四角形状を有して、前記第１電極領域と前記第２電極領域を電気的に分離する境界は、前記第１透明板の対角方向または縦横方向に形成される。
【００１１】
更に、前記制御部は、前記複数の第１信号ライン及び前記複数の第２信号ライン中のいずれか一方側を順次オンさせて、前記複数の第１信号ライン及び前記複数の第２信号ライン中の他方側を選択的にオンさせることで前記チップＬＥＤの点滅を制御することができる。
【００１２】
ここで、前記第１透明板と前記第２透明板の間に充填される充填剤をさらに含むことができる。
【００１３】
一方、前記目的を達成するため、本発明に係るチップＬＥＤにおいては、単色を発光するＬＥＤチップと；前記ＬＥＤチップのアノードおよびカソード中いずれか一つと電気的に連結されて、外部に露出された一対の第１電極と；前記ＬＥＤチップの前記アノードおよび前記カソード中の他の一つと電気的に連結されて、前記一対の第１電極と対角方向に相互交差するように外部に露出された一対の第２電極と；を含むことを特徴とする。
【００１４】
ここで、前記第１電極及び前記第２電極が実装されるＬＥＤ基板をさらに含んで、前記ＬＥＤチップは前記ＬＥＤ基板に実装された前記第１電極及び前記第２電極に接続され、前記第１電極及び前記第２電極は前記ＬＥＤ基板の前記ＬＥＤチップが接続された面から反対側面に折曲形成されて外部に露出することができる。
【００１５】
また、前記一対の第１電極は、前記ＬＥＤチップが接続される面に電気的に分離されて実装され、前記一対の第１電極を相互電気的に連結するジャンパ線を含むことができる。
【００１６】
一方、前記目的を達成するため、本発明に係るライン形成チップにおいては、相互隣接する四つの電極領域を連結し、前記四つの電極領域中、相互対角方向に位置する一対の電極領域にそれぞれ接続されて前記一対の電極領域を相互電気的に連結する一対の第１電極と；前記四つの電極領域中、他の一対の電極領域にそれぞれ接続されて前記他の一対の電極領域を相互電気的に連結する一対の第２電極と；を含むことを特徴とする。
【００１７】
ここで、前記一対の第１電極は、前記ＬＥＤチップの接続面に電気的に分離されて実装され、前記一対の第１電極を相互電気的に連結するジャンパ線を含むことができる。
【発明の効果】
【００１８】
本発明によれば、低電力で駆動されて、寿命が長いＬＥＤを用いることで動映像の具現ができて、透明でその厚さが薄い透明電光板及びそれに用いられるチップＬＥＤが提供される。
【発明を実施するための最良の形態】
【００１９】
以下、添付図面を参照して本発明をさらに詳細に説明する。ここで、本明細書における‘透明’の概念は、光を１００%透過させることに限定的に解析されず、‘透明’なものと認識できる度合い、即ち、所定水準以上の透過率を含む概念として解析することができる。
【００２０】
本発明に係る透明電光板１は、図１及び図２に示すように、少なくとも一つのチップＬＥＤ３０（Ｌｉｇｈｔ  Ｅｍｉｔｔｉｎｇ  Ｄｉｏｄｅ）、第１透明板１０、第２透明板２０、透明電極４０、制御部１００を含む。
【００２１】
本発明に係るチップＬＥＤ３０は、図３乃至図５に示すように、発光ダイオード（ＬＥＤ、以下‘ＬＥＤ’という）チップ３６、一対の第１電極３１ａ，３１ｂ及び一対の第２電極３２ａ，３２ｂを含むことができる。ここで、チップＬＥＤ３０は一つのチップ形態で備わって、図６及び図８に示すように、透明電極４０に付着される。ここで、本発明に係るＬＥＤチップ３６は、ＳＭＤ（ｓｕｒｆａｃｅ  ｍｏｕｎｔ  ｄｅｖｉｃｅ）タイプのチップを使用することを一例とし、これにより透明電光板１の透明度が向上されることができる。
【００２２】
ＬＥＤチップ３６は、単色を発光する光源として使用されて、該ＬＥＤチップ３６の点滅によって透明電光板１にイメージが表示される。
【００２３】
第１電極３１ａ，３１ｂは、前記ＬＥＤチップ３６のアノードとカソード中のいずれか一つと電気的に接続される。また、前記第２電極３２ａ，３２ｂは、前記ＬＥＤチップ３６のアノードとカソード中の他の一つと電気的に接続される。以下、前記第１電極３１ａ，３１ｂが前記ＬＥＤチップ３６のアノードに接続されて、前記第２電極３２ａ，３２ｂが前記ＬＥＤチップ３６のカソードに接続されることを一例にとって説明して、前記第１電極３１ａ，３１ｂをアノード電極３１ａ，３１ｂと称し、前記第２電極３２ａ，３２ｂをカソード電極３２ａ，３２ｂと称して説明する。
【００２４】
前記一対のアノード電極３１ａ，３１ｂと一対のカソード電極３２ａ，３２ｂは、前記チップＬＥＤ３０の外部に露出されるように形成される。これにより、前記チップＬＥＤ３０の外部に露出された前記アノード電極３１ａ，３１ｂ及びカソード電極３２ａ，３２ｂが透明電極４０の後述する第１電極領域Ａ及び第２電極領域Ｂにそれぞれ付着されてそれら第１電極領域Ａ及び第２電極領域Ｂを介した電源の供給によって点滅される。
【００２５】
ここで、前記一対のアノード電極３１ａ，３１ｂと一対のカソード電極３２ａ，３２ｂはＬＥＤ基板３３に実装される。図３は、前記チップＬＥＤ３０の第１電極領域Ａ及び第２電極領域Ｂに付着される面を示す図面で、図４は、前記チップＬＥＤ３０の前記ＬＥＤチップ３６が付着される面を示す図面である。
【００２６】
また、前記一対のアノード電極３１ａ，３１ｂ及び一対のカソード電極３２ａ，３２ｂは、前記ＬＥＤ基板３３のＬＥＤチップ３６が接続された面から反対側面に折曲形成されて外部に露出される。
【００２７】
また、図３及び図４に示すように、前記一対のアノード電極３１ａ，３１ｂは前記ＬＥＤ基板３３の前記ＬＥＤチップ３６が付着される面に一体形成され、前記１対のカソード電極３２ａ，３２ｂは、前記ＬＥＤ基板３３の前記ＬＥＤチップ３６が接続される面に電気的に分離されて実装される。前記一対のカソード電極３２ａ，３２ｂは、ジャンパ線３７により相互電気的に接続される。
【００２８】
上述のように構成される前記チップＬＥＤ３０は、図５に示すような回路構成を有する。ここで、前記一対のアノード電極３１ａ，３１ｂと一対のカソード電極３２ａ，３２ｂとは、相互対角方向に配置されることが好ましい。即ち、前記一対のカソード電極３２ａ，３２ｂは、前記一対のアノード電極３１ａ，３１ｂと対角方向に相互交差するように前記チップＬＥＤ３０の下部の外部に露出される。
【００２９】
一方、第１透明板１０は、透明材質、たとえば透明ガラス、ＰＣ（Ｐｏｌｙ  Ｃａｒｂｏｎａｔｅ），アクリル材質の板状を有する。ここで、本発明の第１透明板１０は、ほぼ四角板状を有して、ガラスであることを一例とする。
【００３０】
第２透明板２０は、前記第１透明板１０の形状と対応する形状の透明材質、たとえば前記第１透明板１０と同様に透明ガラス、ＰＣ（Ｐｏｌｙ  Ｃａｒｂｏｎａｔｅ），アクリル材質からなる。ここで、前記第２透明板２０は、前記第１透明板１０と同一または対応する板状とは限定されない。
【００３１】
ここで、前記第１透明板１０及び／または第２透明板２０を透明ガラスで備える場合、半強化ガラスからなることができる。これにより、前記第１透明板１０及び／または第２透明板２０がスクラッチ等によって透明性が低下したり外部からの衝撃によって割れたりすることが防げて、完全強化ガラスで製作する時発生するたわみ現象や抵抗性の増加を防止することができる。
【００３２】
一方、前記透明電極４０は、ＩＴＯ(Ｉｎｄｉｕｍ Ｔｉｎ Ｏｘｉｄｅ)、ＩＺＯ(Ｉｎｄｉｕｍ Ｚｉｎｃ Ｏｘｉｄｅ)、液状ポリマー中いずれか一つを前記第１透明板１０に塗布（ｃｏａｔｉｎｇ）して形成される。
【００３３】
図６を参照して説明すると、前記透明電極４０は、それぞれマトリックス状に配列された複数の第１電極領域Ａ及び複数の第２電極領域Ｂを形成する。また、それら第１電極領域Ａと第２電極領域Ｂは、前記第１透明板１０上に交互に配置される。即ち、一つの第１電極領域Ａは四つの第２電極領域Ｂと隣接して形成されて、同様に一つの第２電極領域Ｂは四つの第１電極領域Ａと隣接して形成される。
【００３４】
ここで、前記第１電極領域Ａの相互間及び第２電極領域Ｂの相互間、更に第１電極領域Ａと第２電極領域Ｂの間は、電気的に分離された状態で前記第１透明板１０に塗布される。図６は、前記第１電極領域Ａ及び第２電極領域Ｂの間を分離する境界が、四角形状の前記第１透明板１０の対角方向に形成されることを一例に示したものである。
【００３５】
図６では、前記第１電極領域Ａ及び第２電極領域Ｂがそれぞれ四角形状に形成されて、隣接する第１電極領域Ａ間にはその頂点が隣接する。また、隣接する第１電極領域Ａ及び第２電極領域Ｂは、それらの辺が相互対向する。
【００３６】
一方、前記チップＬＥＤ３０の一対のアノード電極３１ａ，３１ｂは、相互隣接する一対の第１電極領域Ａにそれぞれ接続される。また、前記アノード電極３１ａ，３１ｂが接続された第１電極領域Ａに隣接する一対の第２電極領域Ｂに、前記一対のカソード電極３２ａ，３２ｂがそれぞれ接続される。たとえば、図６に示すように、第１電極領域Ａ及び第２電極領域Ｂがそれぞれ四角形状を有する場合、前記チップＬＥＤ３０は、相互隣接する一対の第１電極領域Ａ及び一対の第２電極領域Ｂが隣接するエッジ領域に付着される。
【００３７】
ここで、他のチップＬＥＤ３０は、横方向（以下、“第１方向”という）及び縦方向（以下、“第２方向”という）に同一方法により接続される。この時、前記チップＬＥＤ３０は、第１電極領域Ａが第１方向に第１信号ライン（１〜８）を形成して、第２電極領域Ｂが第２方向に第２信号ライン（ａ〜ｈ）を形成するように透明基板上に付着される。即ち、前記チップＬＥＤ３０は、図６に示すように、第１電極領域Ａ及び第２電極領域Ｂにわたって付着されて、第１電極領域Ａ及び第２電極領域Ｂとともに第１電極領域Ａが第１方向に複数の第１信号ライン（１〜８）を形成して、第２電極領域Ｂが第２方向に複数の第２信号ライン（ａ〜ｈ）を形成する。
【００３８】
図７は、上述したような方法によって、第１電極領域Ａ、第２電極領域Ｂおよび複数のチップＬＥＤ３０によって形成された回路パターンと等価の回路を示したものである。図７に示すように、各チップＬＥＤ３０の点滅は、第１信号ライン（１〜８）及び第２信号ライン（ａ〜ｈ）を介する制御信号の供給可否、即ち第１信号ライン（１〜８）及び第２信号ライン（ａ〜ｈ）のオン／オフによって点滅が決まる。これのより、複数のチップＬＥＤ３０の点滅を制御して動映像を具現することができる。
【００３９】
且つ、従来の電光板では二層または二つ以上のＰＣＢ基板を使用して図７に示したような等価の回路を形成することができるが、本発明に係る透明電光板１は、第１透明板１０に、図６に示すように、第１電極領域Ａ及び第２電極領域Ｂを形成して上述のようにチップＬＥＤ３０を付着することによって、一層の透明電極４０だけで図７に示した等価の回路を形成するため、透明電光板１の厚さを著しく減少させながらその透明性を確保することができる。
【００４０】
本発明による制御部１００は、第１信号ライン（１〜８）と第２信号ライン（ａ〜ｈ）をオン／オフさせるための制御信号を選択的に印加して前記チップＬＥＤ３０を選択的に点滅させることで、動映像を具現する。図６及び図７を参照して説明すると、前記、制御部１００は第１信号ライン（１〜８）と第２信号ライン（ａ〜ｈ）中のいずれか一方側、たとえば第１信号ライン（１〜８）を順次オンさせて、第１信号ライン（１〜８）が順次オンする時、点灯しようとする前記チップＬＥＤが属する第２信号ライン（ａ〜ｈ）をオンさせて前記チップＬＥＤの点滅を制御する。ここで、第１信号ライン（１〜８）が順次オンされるタイミングを短くすると、第１信号ライン（１〜８）が一回ずつオンされ第２信号ライン（ａ〜ｈ）がそれに対応して選択的にオンされて一つのフレームを形成することができる。
【００４１】
ここで、前記制御部１００は、各第１信号ライン（１〜８）及び各第２信号ライン（ａ〜ｈ）をアドレスとして認識するので、前記チップＬＥＤ３０の点滅によってイメージまたは動映像を具現するとき、各信号ラインのアドレスのオン／オフに該当する制御信号を選択的に印加することができる。
【００４２】
一方、第１信号ライン（１〜８）及び第２信号ライン（ａ〜ｈ）の縁部を形成する第１電極領域Ａ及び第２電極領域Ｂには、前記制御部１００からの制御信号が入力される信号パッド６０を塗布することができる。図６は、上部及び右側の縁部に位置する第１電極領域Ａ及び第２電極領域Ｂ上に信号パッド６０を塗布したものを一例にとったが、その位置がこれに限らない。
【００４３】
ここで、前記信号パッド６０としては、片面または両面の伝導性テープ、たとえば、銅テープ、アルミニウムテープ、またはシルバーペーストテープ中のいずれか一つを付着して形成することができ、シルバーペーストのスクリーン印刷法により形成することができる。
【００４４】
一方、図８は、第１電極領域Ａ’、第２電極領域Ｂ’及びチップＬＥＤ３０によって形成される回路パターンの他の実施形態を示す図面である。図８に示すように、第１電極領域Ａ’及び第２電極領域Ｂ’を電気的に分離する境界が四角形状の第１透明板１０の縦横方向に形成されるものを一例にとっている。また、チップＬＥＤ３０の付着によって第１信号ライン（１〜９）と第２信号ライン（ａ〜ｉ）はそれぞれ相互交差するように対角方向に形成される。
【００４５】
ここで、図８に示すような回路パターンにおいては、図６に示した回路パターンと異なって、その信号パッド６０の位置が変更され、制御部１００は同様なイメージを具現するために図６に示した回路パターンに印加される制御信号と異なる制御信号を印加することができる。
【００４６】
このように、一対のアノード電極３１ａ，３１ｂ及び一対のカソード電極３２ａ，３２ｂを有するチップＬＥＤ３０を用いて、図６及び図８に示した回路パターンを形成することで、チップＬＥＤ３０の間隔を細かく（たとえば１ｃｍ以内）することができて、高解像度の透明電光板１を具現することができる。
【００４７】
また、透明電光板１を製作する場合、一層の透明電極４０により上記の回路パターンを形成するため、厚さを著しく減少させることができ、透明材質の透明板及び透明電極４０等を利用して、透明性を有する美観が向上された透明電光板１の製作ができる。
【００４８】
また、図２を参照して説明すると、本発明に係る透明電光板１は、第１透明板１０と第２透明板２０の間に充填される充填剤７０をさらに含むことができる。ここで、前記充填剤７０は、前記第１透明板１０と第２透明板２０の間に充填されてチップＬＥＤ３０等の損傷を防いで、前記第１透明板１０と第２透明板２０を所定間隔離隔された状態で付着させることにより完全ガラスで製作できる。ここで、前記充填剤７０は、ＰＶＢフィルム、ＥＶＡフィルム、樹脂（ｒｅｓｉｎ）類の液体充填剤中のいずれか一つを含むことができる。
【００４９】
また、本発明に係る透明電光板１のチップＬＥＤ３０は、伝導性接着剤８０によって透明電極４０に付着することができる。ここで、前記伝導性接着剤８０としては、スクリーン印刷に適合したシルバーコンダクター（ｓｉｌｖｅｒ  ｃｏｎｄｕｃｔｏｒ）またはシルバーペースト（ｓｉｌｖｅｒ  ｐａｓｔｅ）を使用することを一例にとる。また、シルバーコンダクターまたはシルバーペーストは、適当な粘度（１００〜１５０ｋｃｐｓ）を有し、ガラスとの接着力に優れて面積抵抗性が低いもの（たとえば、５０ｍΩ／ｓｑ）を使用することが好ましい。本発明に係るシルバーペーストは、粘度が１００〜１５０ｋｃｐｓのものを一例とし、例えば、伝導性エポキシ（ｃｏｎｄｕｃｔｉｖｅ  ｅｐｏｘｙ）ボンド系列を使用する。これにより、ラミネート工程等による充填剤７０の充填時、接着力を維持することができる。
【００５０】
また、本発明に係る透明電光板１は、前記チップＬＥＤ３０を固定するための非伝導性接着剤５０をさらに含むことができる。該非伝導性接着剤５０は、前記チップＬＥＤ３０の本体を第１電極領域Ａ及び／または第２電極領域Ｂ間の境界を形成する部分の前記第１透明板１０に固定させる。これにより、前記チップＬＥＤ３０を前記第１透明板１０の透明電極４０に付着する工程や前記充填剤７０を前記第１透明板１０と第２透明板２０の間に介在する工程で、前記チップＬＥＤ３０が振動や揺れ等によってその付着位置がずれることが防げる。
【００５１】
また、前記非伝導性接着剤５０は、前記チップＬＥＤ３０のアノード電極３１ａ，３１ｂとカソード電極３２ａ，３２ｂを前記伝導性接着剤８０によって第１電極領域Ａ及び第２電極領域Ｂに付着する過程で、それら電極領域に塗布された前記伝導性接着剤８０が流れて短絡（ｓｈｏｒｔ）することを防止することができるる。そのために、前記非伝導性接着剤５０は、前記第１透明板１０の板面から第１電極領域Ａ及び／または第２電極領域Ｂよりも前記チップＬＥＤ３０に向いて突出して形成される。
【００５２】
以下、図９及び図１０を参照して本発明に係る透明電光板の回路パターンの他の実施例を詳しく説明する。ここで、図９及び図１０に示した透明電光板の説明における図６及び図８に示した透明電光板と同一の構成に対しては、同一の参照番号を使って、必要によってその説明は省略する。また、未図示の透明電光板の構成は、図６及び図８に示した透明電光板に対応することができる。
【００５３】
図９を参照して説明すると、本発明に係る透明電光板の他の実施例においては、一つのアノード電極３１ａ’と一つのカソード電極３２ａ’を有する単色２電極チップＬＥＤ３０’が使用される。
【００５４】
また、図７に示した等価の回路パターンが形成されるように、相互隣接する一対の第１電極領域Ａ’’及び一対の第２電極領域Ｂ’’には、ライン形成チップ３０’’またはクロスジャンパチップが付着される。ここで、前記ライン形成チップ３０’’は、一対の第１電極３１ａ’’、３１ｂ’’と一対の第２電極３２ａ’’、３２ｂ’’を含む。それら一対の第１電極３１ａ’’、３１ｂ’’と一対の第２電極３２ａ’’、３２ｂ’’は相互対角方向に交差するように外部に露出される。
【００５５】
また、前記ライン形成チップ３０’’の一対の第１電極３１ａ’’、３１ｂ’’は、相互電気的に連結されて隣接する一対の第１電極領域Ａ’’にそれぞれ接続されて隣接する一対の第１電極領域Ａ’’間を電気的に連結する。同様に、前記一対の第２電極３２ａ’’、３２ｂ’’は、相互電気的に連結されて隣接する一対の第２電極領域Ｂ’’にそれぞれ接続されて隣接する一対の第２電極領域Ｂ’’間を電気的に連結する。これにより、複数の第１電極領域Ａ’’は前記ライン形成チップ３０’’の第１電極３１ａ’’、３１ｂ’’によって第１方向に複数の第１信号ライン（１’〜８’）を形成し、複数の第２電極領域Ｂ’’は前記ライン形成チップ３０’’の第２電極３２ａ’’、３２ｂ’’によって第２方向に複数の第２信号ライン（ａ’〜ｈ’）を形成する。
【００５６】
ここで、前記２電極チップＬＥＤ３０’のアノード電極３１ａ’が第１信号ライン（１’〜８’）と連結されるように第１電極領域Ａ’’に接続させて、前記２電極チップＬＥＤ３０’のカソード電極３２ａ’が第２信号ライン（ａ’〜ｈ’）と連結されるように第２電極領域Ｂ’’に接続させることにより、図６に示すような等価の回路パターンを形成する。
【００５７】
以上、本発明のいくつかの実施例が図示されて説明されたが、本発明が属する技術分野の通常の知識を有する当業者であれば、本発明の原則や精神から逸脱せずに本実施例を変形できることが分かる。本発明の範囲は添付された請求項とその均等物によって決められなければならない。
【図面の簡単な説明】
【００５８】
【図１】本発明に係る透明電光板を示した斜視図である。
【図２】図１の透明電光板を示した断面図である。
【図３】本発明に係るチップＬＥＤの構成を説明するための図面である。
【図４】本発明に係るチップＬＥＤの構成を説明するための図面である。
【図５】本発明に係るチップＬＥＤの構成を説明するための図面である。
【図６】本発明に係る透明電光板において、電極領域及びチップＬＥＤによって形成された回路パターンを示した例示図である。
【図７】図６に示す回路パターンの等価回路を示した図面である。
【図８】本発明に係る透明電光板において、電極領域及びチップＬＥＤによって形成された回路パターンの他の例を示した例示図である。
【図９】本発明に係る透明電光板の他の実施形態による回路パターンを説明するための図面である。
【図１０】本発明に係る透明電光板の他の実施形態による回路パターンを説明するための図面である。
【符号の説明】
【００５９】
１    透明発光装置
１０    第1透明板
２０    第２透明板
３０    チップＬＥＤ
３１ａ，３１ｂ    第１電極
３２ａ，３２ｂ    第２電極
３３    ＬＥＤ基板
３６    ＬＥＤチップ
４０    透明電極
５０    非伝導性接着剤
６０    信号パッド
７０    充填剤
８０    伝導性接着剤
１００    制御部
【図１】
2007537609.tif 000003
【図２】
2007537609.tif 000004
【図３】
2007537609.tif 000005
【図４】
2007537609.tif 000006
【図５】
2007537609.tif 000007
【図６】
2007537609.tif 000008
【図７】
2007537609.tif 000009
【図８】
2007537609.tif 000010
【図９】
2007537609.tif 000011
【図１０】
2007537609.tif 000012
【国際調査報告】
2007537609.tif 000013
2007537609.tif 000014